(57)【要約】【課題】  取付け部のタイプが異なってもインバータと組み合わせて省エネルギーを図ることができる照明器具を提供する。【解決手段】  照明部２と、この照明部に接続してある取付け部３とからなり、照明部は照明灯４を備えていると共にインバータ５を内蔵しており、照明灯４は保持枠１０に取り付けられているソケット９に接続されており、この保持枠はその背部でインバータと結合され、インバータと照明灯４との間にスペースを確保しており、取付け部３は取付け枠１６とパイプ状の取付け体と座部とを備え、取付け枠が照明灯４を覆う胴部６に連結されており、座部が取付け手段に取付け可能である。【選択図】        図１
2006066314.tif 000002
【特許請求の範囲】
【請求項１】
照明部と、この照明部に接続してある取付け部とからなり、
上記照明部は照明灯を備えていると共に、インバータを内蔵しており、
上記取付け部は取付け手段に取付け可能である
ことを特徴とする照明器具。
【請求項２】
照明灯とインバータとは保持枠を介して接続されていることを特徴とする請求項１記載の照明器具。
【請求項３】
照明灯とインバータとは両者の間に配置されている溝形の保持枠を介して接続されており、この保持枠はその両側から突出され対向している保持部で取付け部と接続されており、両保持部間に照明灯の後部側が位置していることを特徴とする請求項１記載の照明器具。
【請求項４】
照明灯とインバータとは両者の間に配置されている保持枠を介して接続されており、この保持枠は照明灯とインバータとの間にスペースを確保していることを特徴とする請求項１記載の照明器具。
【発明の詳細な説明】
【技術分野】
【０００１】
本発明は、スポットライトなどの照明器具に関するものである。
【背景技術】
【０００２】
第２５５５９６８号に係る実用新案登録公報に記載の照明器具（以下「従来例１」という。）は、パイプ状のホルダ部の先端に照明具を取り付け、ホルダ部の後端基部にキャップ状の取付け部をナットによって固定し、この取付け部に掛止め体を取外し可能に取り付けているものである。照明器具は掛止め体を介して又は掛止め体を外して壁、天井又はスタンドなどに直接又は間接的に取り付けて使用するものである。
特開２００４−１０３３４６号公報に記載の照明器具（以下「従来例２」という。）は、当該公報の段落０００６の第２〜８行の説明及び図６に示すように支持フレームを設けてあり、この支持フレームを介してインバータを内蔵したボックス状の保持体に接続されている。この保持体にはアース端子接続装置が保持されており、アース端子接続装置は天井に取り付けられている配線ダクトに移動かつ挿入離脱可能に接続される。この照明器具はインバータと組み合わせることにより、省エネルギーを図ることを目的とするものであり、最近このような保持体を備えたタイプのスポットライトが主流となっている。
【特許文献１】第２５５５９６８号実用新案登録公報
【特許文献２】特開２００４−１０３３４６号公報
【特許文献３】特開２０００−３７７２号公報
【発明の開示】
【発明が解決しようとする課題】
【０００３】
従来例１では、多様な取付け方法を選択することができるから、例えば展示場所（博覧会の出展会場、デパートの商品陳列場など）の展示の異なる条件に対応することができる利点があるが、インバータを用いて展示照明を図ろうとすると、天井裏や壁裏などにインバータを配置して照明器具とインバータとの電気的な結線作業を現場でしなければならず、施工に手間がかかり、施工コストが高くなり、特に国際的な展示を行うような広い展示場では多数の照明器具の施工を必要とするために、その改善の要求が増している。
従来例２では、インバータを内蔵したボックス状の保持体に照明器具を取り付ける構成であるから、従来例１の課題は解決されるものの、一般にスポットライト型照明器具には従来例２のような保持体を備えた取付け部のタイプ他に、従来例１のような基部にキャップを有するパイプ（アーム）型取付け部のタイプ、取付け用クリップを付属させたクリップ型取付け部のタイプなどがあり、これらのタイプには従来例２を適用することができない。
照明器具に接続される取付け部のタイプが異なってもインバータと組み合わせて省エネルギーを図れるようにする照明器具の提案が期待されていた。
本発明の目的は、取付け部のタイプが異なってもインバータと組み合わせて省エネルギーを図ることができる照明器具を提供することにある。
【課題を解決するための手段】
【０００４】
本発明の第１の特徴は、照明部と、この照明部に接続してある取付け部とからなり、上記照明部は照明灯を備えていると共に、インバータを内蔵しており、上記取付け部は取付け手段に取付け可能であることにある。
本発明の第２の特徴は、上記第１の特徴を前提として、照明灯とインバータとは保持枠を介して接続されていることにある。
本発明の第３の特徴は、上記第１の特徴を前提として、照明灯とインバータとは両者の間に配置されている溝形の保持枠を介して接続されており、この保持枠はその両側から突出され対向している保持部で取付け部と接続されており、両保持部間に照明灯の後部側が位置していることにある。
本発明の第４の特徴は、上記第１の特徴を前提として、照明灯とインバータとは両者の間に配置されている保持枠を介して接続されており、この保持枠は照明灯とインバータとの間のスペースを確保していることにある。
【発明の効果】
【０００５】
本発明によれば、インバータを照明部に内蔵しているので、取付け部の種類を問うことなく、展示場などの取付け手段に取り付けることができ、従来例と比較して施工が容易となり、施工コストを抑制することができる。
【発明を実施するための最良の形態】
【０００６】
図１〜図３において、本発明に係る照明器具１は、照明部２と、この照明部に接続してある取付け部３とからなる。
【０００７】
照明器具１の照明部２について説明する。
図１〜図３に示すように、照明部２は照明灯４を備えていると共に、インバータ５を内蔵している。照明灯４はセラミックメタルハライドランプなどが用いられており、筒状の胴部６の先端に接続されているフード７で覆われている。胴部６とフード７とはビス８で連結されている。照明灯４は胴部６内のソケット９に着脱可能である。ソケット９には保持枠１０が接続されており、この保持枠はインバータ５に結合されている。
インバータ５は胴部６内の背部に収納されており、複数のビス１１によって胴部に固定されている。インバータ５の前板１２に保持枠１０が取り付けられており、この保持枠によってインバータとソケット９との間の距離を確保して、照明灯４から熱が直接インバータに及ばない構成としてある。
インバータ５の背部は後板１３によって覆われており、この後板は胴部６にこれを閉塞するようにビス１４によって固着されている。ソケット９にインバータ５を通じて電気的に接続されているコード１５は後板１３から外側へ引き出されている。
【０００８】
照明器具１の取付け部３について説明する。
図２及び図３に示すように、取付け部３は取付け枠１６、取付け体１７及び座部１８からなる。取付け枠１６はほぼＵ字形に形成されており、両側の保持部１６ａの上端部が照明部２の胴部６の両側部にそれぞれボルト１９によって取り付けられている。取付け体１７は所定の長さを備えたパイプで形成されており、上端部が取付け枠１６の中央部と連結され、下部に座部１８が取り付けられている。座部１８はキャップ状に形成されており、壁や天井などの取付け手段２０（図２）に直接的に又は掛け止め手段を介して間接的に取り付けられる。後板１３から引き出されたコード１５は取付け枠１６を経て取付け体１７及び座部１８内を通過して図２下方へ導かれている。
【０００９】
照明器具１の使用方法について説明する。
照明器具１はデパート、博覧会場などの展示場、ファッションショーなどの催し会場などにおいて、商品、展示品、モデル、室内空間などを照明するために、使用現場の状況に応じて、床から起立させて使用する場合には床上に座部１８を置いて座部を固定させ、壁や天井に取り付けて使用する場合には座部１８を壁や天井に固定させる。
【００１０】
図４及び図５において、本発明の他の実施の形態としての照明器具１０１について説明する。
照明器具１０１は上述した照明器具１と実質的に同一構成であり、インバータ１０５を内蔵している照明部１０２と、この照明部に接続してある取付け部１０３とからなり、照明部１０２は照明部２に、取付け部１０３は取付け部３に、インバータ１０５はインバータ５にそれぞれ対応している。
照明器具１０１において、照明器具１と共通する構成部分の説明は省略し、相違部分のみ説明する。
照明器具１０１の照明部１０２において、胴部１０６と照明灯１０４を覆うカバーであるフード１０７とは一体的に形成されている。保持枠１１０は「コ」の字形に形成されており、胴部１０６の背部にこれを抱き込むように取り付けられている。保持枠１１０の背部にはインバータ１０５が結合されている。保持枠１１０はインバータ１０５の前板１１２に固着されている。１０９はソケットである。
照明器具１０１の取付け部１０３は取付け枠１１６とボックス状の取付け体１１７とからなる。取付け枠１１６の両側の保持部１１６ａの各上端部が保持枠１１０のアーム部１１０ａにボルト１１９によって取り付けられている。図４鎖線に示すボックス状の取付け体１１７は取付け枠１１６の下部に連結部材によって取り付けられている。取付け体１１７は配線ダクト用アース接続端子装置１２１を設けている。配線ダクト用アース接続端子装置１２１の回転軸部１２１ａが取付け体１１７より突出して、この回転軸部の外周の上下にそれぞれ対向的に配置している対の係止突部１２１ｂ及び端子部１２１ｃを水平に設けてある。操作ハンドル１２１ｄの回転操作によって回転軸部１２１ａが回転して、配線ダクト１２０内の側溝（図示せず。）に係止突部１２１ｂが係合離脱可能であり、内部の端子部に端子部１２１ｃが当接可能である。回転軸部１２１ａは配線ダクト１２０内をその長さ方向に開口溝に沿って移動可能である。１２１ｅは回転軸部１２１ａの軸心を貫通して端部から露出しているアース端子であり、配線ダクト１２０内に設けてあるアース電極路に接触可能である。
取付け体１１７、配線ダクト用アース接続端子装置１２１及び配線ダクト１２０のそれぞれについては公知技術が使用されている。
１１３は後板で、１１５はコードである。
【００１１】
照明器具１０１の使用方法について説明する。
予め取付け枠１１６をボックス状の取付け体１１７に取り付けておく。そして作業現場において、配線ダクト１２０が敷設されている場合には回転軸部１２１ａの突出端部を配線ダクトの開口溝から内部に差し入れて、操作ハンドル１２１ｄを回すと、回転軸部１２１ａも回転し、やがて係止突部１２１ｂが側溝に係合し、端子部１２１ｃも内部の端子部に接触する。そして取付け体１１７を配線ダクト１２０の開口溝に沿って移動させて、希望する位置に達した時点で、移動を停止して、設置工事を終える。
【００１２】
図１に示す照明器具１によれば、照明部２はインバータ５を内蔵しているから、インバータと取付け部３とを切り離す構成であるから、取付け部としてこれに専用のパイプ状の取付け部を用いても又は既存のパイプ状の取付け部を選択してもいずれの場合も、取付け部のタイプを問うことなくスポットライトなどとして利用できる。
図４に示す照明器具１０１によれば、図１の例と同様に取付け部１０３のタイプを問うことなく配線ダクト１２０に取り付けて利用することができる。
【００１３】
図１に示す照明器具１において、取付け部３における取付け体１７（図２）の長さを問うものではなく、使用現場に応じて長短適宜設定されたものを用い、また座部１８は必ずしも必要なものではない。
図１及び図４に示す照明器具１，１０１において、照明部２，１０２の構成はインバータ５，１０５を内蔵している限り、図示のものに限定されない。
取付け部のタイプに関して、図１に示す照明器具１ではアーム型にし、図４に示す照明器具１０１ではボックス状の取付け体を備えたスライド型としているが、必ずしもこれらの例に限られず、既存の取付け部に上記照明部２，１０２を接続しても良い。
また取付け部を取付け枠１６，１１６のみで構成し、この取付け枠を取付け手段に取り付けるようにしても良い。
【図面の簡単な説明】
【００１４】
【図１】本発明に係る照明器具の一部切欠拡大平面図である。
【図２】本発明に係る照明器具の一部切欠側面図である。
【図３】本発明に係る照明器具の背面図である。
【図４】本発明に係る他の実施の形態を示す照明器具の側面図である。
【図５】図４の平面図である。
【符号の説明】
【００１５】
１，１０１                  照明器具
２，１０２                  照明部
３，１０３                  取付け部
４，１０４                  照明灯
５，１０５                  インバータ
１０，１１０                保持枠
１６，１１６                取付け枠
１６ａ，１１６ａ            保持部
１７，１１７                取付け体
２０                        取付け手段
１２０                      配線ダクト（取付け手段）
【図１】
2006066314.tif 000003
【図２】
2006066314.tif 000004
【図３】
2006066314.tif 000005
【図４】
2006066314.tif 000006
【図５】
2006066314.tif 000007